(57)【特許請求の範囲】
【請求項１】
通信ネットワーク（１００、２００）のパケット交換ソース無線アクセスネットワーク（１０４、２０４）から当該通信ネットワーク（１００、２００）のターゲットの無線アクセスネットワーク（２６２）へ端末（１１８、２１８）の音声セッションをハンドオーバするために、前記通信ネットワーク（１００、２００）のターゲットのコアネットワーク（１１０、２１０）を選択する方法であって、
前記音声セッションは前記通信ネットワーク（１００、２００）のインターネット・プロトコル・マルチメディア・サブシステムにアンカーされ、
選択された前記ターゲットのコアネットワーク（１１０、２１０）は、前記ターゲットの無線アクセスネットワーク（２６２）に関連付けられる回線交換ドメインを含むと共に、前記パケット交換ソース無線アクセスネットワーク（１０４、２０４）から前記ターゲットの無線アクセスネットワーク（２６２）へ前記音声セッションをハンドオーバすることを可能とする音声セッションの継続をサポートし、
前記ターゲットの無線アクセスネットワーク（２６２）は、前記ターゲットのコアネットワーク（１１０、２１０）のネットワーク識別子に関連付けられ、
前記ソース無線アクセスネットワーク（１０４、２０４）の一部であるノード（１１２、２１２、６１２）により実行される前記方法は、
少なくとも１つのターゲットの無線アクセスネットワーク（２６２）に関連付けられた少なくとも１つのターゲットのコアネットワーク（１１０、２１０）の、音声セッションの継続に対するサポートを示すネットワーク識別子を受信するステップ（１２６、２２６）と、
受信した前記ネットワーク識別子により示される、音声セッションの継続の示されたサポートに基づいて、前記ターゲットのコアネットワーク（１１０、２１０）を選択するステップ（１３８、２３８）と、
を有することを特徴とする方法。
【請求項２】
前記ターゲットの無線アクセスネットワーク（２６２）は、前記通信ネットワーク（１００、２００）の複数のターゲットのコアネットワーク（１１０、２１０、５８４）と関連付けられ、
前記選択するステップ（１３８、２３８）は、前記複数のターゲットのコアネットワーク（１１０、２１０、５８４）から、ターゲットのコアネットワーク（１１０、２１０）を選択すること（１３８、２３８）を含む、
ことを特徴とする請求項１に記載の方法。
【請求項３】
前記少なくとも１つのターゲットのコアネットワーク（１１０、２１０）の前記ネットワーク識別子は、音声セッションの継続に対するサポートを示すターゲットのコアネットワーク（１１０、２１０）のネットワーク識別子を専ら含むリストにおいて受信される、
ことを特徴とする請求項１又は２に記載の方法。
【請求項４】
前記音声セッションの、ターゲットのコアネットワーク（２１０）のパケット交換ドメインへのハンドオーバに対するサポートを示すターゲットのコアネットワーク（１１０、２１０）のネットワーク識別子を含む他のリストを受信するステップをさらに有する、
ことを特徴とする請求項３に記載の方法。
【請求項５】
前記少なくとも１つのターゲットのコアネットワーク（１１０、２１０）の前記ネットワーク識別子が、ターゲットのコアネットワーク（１１０、２１０）のネットワーク識別子を含むリストにおいて受信され、
音声セッションの継続の前記サポートに対する個別の表示は、当該少なくとも１つのターゲットのコアネットワーク（１１０、２１０）の当該ネットワーク識別子に関連付けられる、
ことを特徴とする請求項１又は２に記載の方法。
【請求項６】
前記少なくとも１つのターゲットのコアネットワーク（１１０、２１０）に関連付けられた前記少なくとも１つのターゲットの無線アクセスネットワーク（２６２）に対する接続品質情報を、前記端末（１１８、２１８）から受信するステップ（１３２、２３２）をさらに有し、
前記選択するステップ（１３８、２３８）は、受信した前記接続品質情報に基づいて、前記ターゲットのコアネットワーク（１１０、２１０）を選択すること（１３８、２３８）を含む、
ことを特徴とする請求項１から５のいずれか１項に記載の方法。
【請求項７】
前記選択するステップ（１３８、２３８）は、前記少なくとも１つのターゲットのコアネットワーク（１１０、２１０）に関連付けられたポリシに基づいて、前記ターゲットのコアネットワーク（１１０、２１０）を選択すること（１３８、２３８）を含む、
ことを特徴とする請求項１から６のいずれか１項に記載の方法。
【請求項８】
前記端末（１１８、２１８）の前記セッションを前記パケット交換ソース無線アクセスネットワーク（１０４、２０４）から前記ターゲットの無線アクセスネットワーク（２６２）へハンドオーバする際に、音声セッションの継続をリクエストするステップ（１４０、２４０）と、
選択された前記ターゲットのコアネットワーク（１１０、２１０）のネットワーク識別子を、前記パケット交換ソース無線アクセスネットワーク（１０４、２０４）に関連付けられた前記通信ネットワーク（１００、２００）の制御ノード（１１２、２１２、６１２）へ送信するステップ（１４０、２４０）と、
をさらに有することを特徴とする請求項１から７のいずれか１項に記載の方法。
【請求項９】
前記ネットワーク識別子は、少なくとも１つの公衆陸上移動体ネットワークの識別子を含む、
ことを特徴とする請求項１から８のいずれか１項に記載の方法。
【請求項１０】
通信ネットワーク（１００、２００）のパケット交換ソース無線アクセスネットワーク（１０４、２０４）から当該通信ネットワーク（１００、２００）のターゲットの無線アクセスネットワーク（２６２）へ端末（１１８、２１８）の音声セッションをハンドオーバするために、前記通信ネットワーク（１００、２００）のターゲットのコアネットワーク（１１０、２１０）を選択する方法であって、
前記音声セッションは、前記通信ネットワーク（１００、２００）のインターネット・プロトコル・マルチメディア・サブシステムにアンカーされ、
選択された前記ターゲットのコアネットワーク（１１０、２１０）は、前記ターゲットの無線アクセスネットワーク（２６２）に関連付けられる回線交換ドメインを含むと共に前記パケット交換ソース無線アクセスネットワーク（１０４、２０４）から前記ターゲットの無線アクセスネットワーク（２６２）へ前記音声セッションをハンドオーバすることを可能とする音声セッションの継続をサポートし、
前記ターゲットの無線アクセスネットワーク（２６２）は、前記ターゲットのコアネットワーク（１１０、２１０）のネットワーク識別子に関連付けられ、
前記ソース無線アクセスネットワーク（１０４、２０４）に関連付けられた前記通信ネットワーク（１００、２００）の制御ノード（１１４、２１４、７１４）によって実行される前記方法は、
少なくとも１つのターゲットの無線アクセスネットワーク（２６２）に関連づけられた少なくとも１つのターゲットのコアネットワーク（１１０、２１０）のネットワーク識別子を送信するステップ（１２６、２２６）を有し、
前記ネットワーク識別子は、送信される前記ネットワーク識別子により示される音声セッションの継続の表示されたサポートに基づいて前記ターゲットのコアネットワーク（１１０、２１０）を選択するために、音声セッションの継続に対するサポートを示す、
ことを特徴とする方法。
【請求項１１】
前記端末（１１８、２１８）と関連付けられた加入者に対して、音声セッションの継続がサポートされているかを判定するステップ（１２０、２２０）をさらに有する、
ことを特徴とする請求項１０に記載の方法。
【請求項１２】
選択された前記ターゲットのコアネットワーク（１１０、２１０）のネットワーク識別子を受信するステップ（１４０、２４０）と、
受信した前記ネットワーク識別子に基づいて、選択された前記ターゲットのコアネットワーク（１１０、２１０）の制御ノード（１１６、２１６）を選択するステップ（１４２、２４２）と、
をさらに有することを特徴とする請求項１０又は１１に記載の方法。
【請求項１３】
選択された前記ターゲットのコアネットワーク（１１０、２１０）の受信した前記ネットワーク識別子を、選択された前記制御ノード（１１６、２１６、６１２）へ送信するステップ（１４６、２４６）をさらに有する、
ことを特徴とする請求項１２に記載の方法。
【請求項１４】
通信ネットワーク（１００、２００）のパケット交換ソース無線アクセスネットワーク（１０４、２０４）から前記通信ネットワーク（１００、２００）のターゲットの無線アクセスネットワーク（２６２）へ端末（１１８、２１８）の音声セッションをハンドオーバするために、前記通信ネットワーク（１００、２００）のターゲットのコアネットワーク（１１０、２１０）を選択するためのノード（１１２、２１２、６１２）であって、
前記音声セッションは、前記通信ネットワーク（１００、２００）のインターネット・プロトコル・マルチメディア・サブシステムにアンカーされ、
選択された前記ターゲットのコアネットワーク（１１０、２１０）は、前記ターゲットの無線アクセスネットワーク（２６２）に関連付けられる回線交換ドメインを含むと共に、前記パケット交換ソース無線アクセスネットワーク（１０４、２０４）から前記ターゲットの無線アクセスネットワーク（２６２）へ前記音声セッションをハンドオーバすることを可能とする音声セッションの継続をサポートし、
前記ターゲットの無線アクセスネットワーク（２６２）は、前記ターゲットのコアネットワーク（１１０、２１０）のネットワーク識別子に関連付けられ、
前記ソース無線アクセスネットワーク（１０４、２０４）の一部である前記ノード（１１２、２１２、６１２）は、
少なくとも１つのターゲットの無線アクセスネットワーク（２６２）に関連付けられた少なくとも１つのターゲットのコアネットワーク（１１０、２１０）の、音声セッションの継続に対するサポートを示すネットワーク識別子を受信するように構成された受信手段（ＲＵ１）と、
受信した前記ネットワーク識別子により示される音声セッションの継続の表示されたサポートに基づいて、前記ターゲットのコアネットワーク（１１０、２１０）を選択するように構成された選択手段（ＰＵ１）と、
を有することを特徴とするノード。
【請求項１５】
前記ノード（１１２、２１２、６１２）は、パケット交換ロングタームエボリューション無線アクセスネットワーク（１０４、２０４）のｅＮｏｄｅＢとして構成される、
ことを特徴とする請求項１４に記載のノード。
【請求項１６】
通信ネットワーク（１００、２００）のパケット交換ソース無線アクセスネットワーク（１０４、２０４）から前記通信ネットワーク（１００、２００）のターゲットの無線アクセスネットワーク（２６２）へ端末（１１８、２１８）の音声セッションをハンドオーバするために、前記通信ネットワーク（１００、２００）のターゲットのコアネットワーク（１１０、２１０）を選択するための制御ノード（１１４、２１４、７１４）であって、
前記音声セッションは、前記通信ネットワーク（１００、２００）のインターネット・プロトコル・マルチメディア・サブシステムにアンカーされ、
選択された前記ターゲットのコアネットワーク（１１０、２１０）は前記ターゲットの無線アクセスネットワーク（２６２）に関連付けられる回線交換ドメインを含むと共に、前記パケット交換ソース無線アクセスネットワーク（１０４、２０４）から前記ターゲットの無線アクセスネットワーク（２６２）へ前記音声セッションをハンドオーバすることを可能とする音声セッションの継続をサポートし、
前記ターゲットの無線アクセスネットワーク（２６２）は、前記ターゲットのコアネットワーク（１１０、２１０）のネットワーク識別子に関連付けられ、
前記通信ネットワーク（１００、２００）の一部であると共に前記ソース無線アクセスネットワーク（１０４、２０４）に関連付けられた前記制御ノード（１１４、２１４、７１４）は、
少なくとも１つのターゲットの無線アクセスネットワーク（２６２）に関連付けられた少なくとも１つのターゲットのコアネットワーク（１１０、２１０）のネットワーク識別子を送信するように構成された送信手段（ＴＵ１）を有し、
前記ネットワーク識別子は、送信される前記ネットワーク識別子によって示される音声セッションの継続の表示されたサポートに基づいて前記ターゲットのコアネットワーク（１１０、２１０）を選択するために、音声セッションの継続に対するサポートを示す、
ことを特徴とする制御ノード。
【請求項１７】
前記制御ノード（１１４、２１４、７１４）は、移動管理エンティティとして構成される、
ことを特徴とする請求項１６に記載の制御ノード。
【請求項１８】
プロセッサにより実行されるときに、通信ネットワーク（１００、２００）のパケット交換ソース無線アクセスネットワーク（１０４、２０４）から当該通信ネットワーク（１００、２００）のターゲットの無線アクセスネットワーク（２６２）へ端末（１１８、２１８）の音声セッションをハンドオーバするために、前記通信ネットワーク（１００、２００）のターゲットのコアネットワーク（１１０、２１０）を選択する、請求項１から１３のいずれか１項に記載の方法を実行し又は制御するように構成されることを特徴とするコンピュータプログラム。
【発明の詳細な説明】
【技術分野】
【０００１】
本発明は電気通信に関し、特に、端末の音声セッションを、通信ネットワークのパケット交換ソース無線アクセスネットワークからその通信ネットワークのターゲットの無線アクセスネットワークへハンドオーバするために、その通信ネットワークのターゲットのコアネットワークを選択するための方法、ノード及び制御ノードと、コンピュータプログラムに関する。
【背景技術】
【０００２】
よく知られた通信ネットワーク構成では、端末はパケット交換ソース無線アクセスネットワークに位置し、終端側に対する音声セッションを確立している。音声セッションは、通信ネットワークのインターネット・プロトコル・マルチメディア・サブシステム（ＩＭＳ）にアンカー（ａｎｃｈｏｒ）される。端末がソース無線アクセスネットワークへの接点を失いうるとき、ターゲットの無線アクセスネットワークへの端末のハンドオーバは、確立された終端側への音声セッションを継続することを可能とするかもしれない。このような場合、単一無線音声呼継続（Ｓｉｎｇｌｅ  Ｒａｄｉｏ  Ｖｏｉｃｅ  Ｃａｌｌ  Ｃｏｎｔｉｎｕｉｔｙ、ＳＲＶＣＣ）が、パケット交換無線アクセスネットワークから、ターゲットのコアネットワークの回線交換ドメインに関連付けられたターゲットの無線アクセスネットワークへの、端末のハンドオーバを可能とする。例えば、端末は、ロングタームエボリューション（ＬＴＥ）またはＵＭＴＳ地上無線アクセスネットワーク（ＵＴＲＡＮ）の高速パケットアクセス（ＨＳＰＡ）の無線アクセスネットワークから、ＵＴＲＡＮまたはＧＳＭ  ＥＤＧＥ無線アクセスネットワーク（ＧＥＲＡＮ）のターゲットの無線アクセスネットワークへハンドオーバされうる。
【発明の概要】
【発明が解決しようとする課題】
【０００３】
しかしながら、現在、パケット交換ソース無線アクセスネットワークから、ターゲットのコアネットワークの回線交換ドメインに関連付けられたターゲットの無線アクセスネットワークへの端末のハンドオーバを用いるＳＲＶＣＣが正常に実行されることを保証する手順は定義されていない。
【課題を解決するための手段】
【０００４】
本発明は、パケット交換ソース無線アクセスネットワークから、音声セッションの継続を用いるターゲットのコアネットワークの回線交換ネットワークドメインに関連付けられたターゲットの無線アクセスネットワークへの、インターネット・プロトコル・マルチメディア・サブシステム（ＩＭＳ）に基づく通信ネットワークにアンカーしている音声セッションのハンドオーバを可能とする方法及びノードを提供することを目的とする。さらに、本発明は、このような方法を用いるコンピュータプログラムを提供することを目的とする。
【０００５】
上述の目的は、端末の音声セッションを、通信ネットワークのパケット交換ソース無線アクセスネットワークからその通信ネットワークのターゲットの無線アクセスネットワークへハンドオーバするために、その通信ネットワークのターゲットのコアネットワークを選択する方法、ノード及び制御ノードにより解決される。その方法、そのノード、及びその制御ノードのさらなる実施形態は、従属請求項に定められる。
【０００６】
本発明の例示的な態様によれば、端末の音声セッションを通信ネットワークのパケット交換ソース無線アクセスネットワークから、その通信ネットワークのターゲットの無線アクセスネットワークへハンドオーバするために、通信ネットワークのターゲットのコアネットワークを選択する方法が提供される。音声セッションは通信ネットワークのインターネット・プロトコル・マルチメディア・サブシステムにアンカーされ、選択されたターゲットのコアネットワークは、ターゲットの無線アクセスネットワークに関連付けられると共に、音声セッションをパケット交換ソース無線アクセスネットワークからターゲットの無線アクセスネットワークへハンドオーバすることを可能とする音声セッションの継続をサポートする、回線交換ドメインを含む。そのターゲットの無線アクセスネットワークは、ターゲットのコアネットワークのネットワーク識別子と関連付けられる。本方法は、ソース無線アクセスネットワークのノードにより実行される。本方法は、少なくとも１つのターゲットの無線アクセスネットワークに関連付けられた少なくとも１つのターゲットのコアネットワークのネットワーク識別子を受信することを含む。そのネットワーク識別子は、音声セッションの継続へのサポートを表示する。本方法は、受信したネットワーク識別子によって示される音声セッションの継続への示されたサポートに基づいて、ターゲットのコアネットワークを選択することを含む。
【０００７】
本発明の別の例示的な態様によれば、通信ネットワークのパケット交換ソース無線アクセスネットワークから、その通信ネットワークのターゲットの無線アクセスネットワークへ端末の音声セッションをハンドオーバするために、その通信ネットワークのターゲットのコアネットワークを選択する方法が提供される。音声セッションは、通信ネットワークのインターネット・プロトコル・マルチメディア・サブシステムにアンカーされ、選択されたターゲットのコアネットワークは、ターゲットの無線アクセスネットワークに関連付けられると共に、音声セッションをパケット交換ソース無線アクセスネットワークからターゲットの無線アクセスネットワークへハンドオーバすることを可能とする音声セッションの継続をサポートする、回線交換ドメインを含む。ターゲットの無線アクセスネットワークは、ターゲットのコアネットワークのネットワーク識別子に関連付けられる。本方法は、ソース無線アクセスネットワークに関連付けられる通信ネットワークの制御ノードにより実行される。本方法は、少なくとも１つのターゲットの無線アクセスネットワークに関連付けられた少なくとも１つのターゲットのコアネットワークのネットワーク識別子を送信することを含み、そのネットワーク識別子は、音声セッションの継続へのサポートを示し、これは、送信されたネットワーク識別子により示される音声セッションの継続の示されたサポートに基づいてターゲットのコアネットワークを選択するためのものである。
【０００８】
本発明の別の例示的な態様によれば、通信ネットワークのパケット交換ソース無線アクセスネットワークからその通信ネットワークのターゲットの無線アクセスネットワークへ端末の音声セッションをハンドオーバするために、その通信ネットワークのターゲットのコアネットワークを選択するノードが提供される。音声セッションは、その通信ネットワークのインターネット・プロトコル・マルチメディア・サブシステムにアンカーされ、選択されたターゲットのコアネットワークは、ターゲットの無線アクセスネットワークに関連付けられると共に、音声セッションをパケット交換ソース無線アクセスネットワークからターゲットの無線アクセスネットワークへハンドオーバすることを可能とする音声セッションの継続をサポートする、回線交換ドメインを含む。ターゲットの無線アクセスネットワークはターゲットのコアネットワークのネットワーク識別子に関連付けられる。本ノードは、ソース無線アクセスネットワークの一部である。本ノードは、少なくとも１つのターゲットの無線アクセスネットワークに関連付けられた少なくとも１つのターゲットのコアネットワークのネットワーク識別子を受信するように構成される受信部を有する。そのネットワーク識別子は、音声セッションの継続へのサポートを示す。本ノードは、受信したネットワーク識別子によって示される音声セッションの継続への示されるサポートに基づいて、ターゲットのコアネットワークを選択するように構成される選択部を有する。
【０００９】
本発明の別の例示的な態様によれば、通信ネットワークのパケット交換ソース無線アクセスネットワークからその通信ネットワークのターゲットの無線アクセスネットワークへ端末の音声セッションをハンドオーバするために、その通信ネットワークのターゲットのコアネットワークを選択する制御ノードが提供される。音声セッションは、その通信ネットワークのインターネット・プロトコル・マルチメディア・サブシステムにアンカーされ、選択されたターゲットのコアネットワークは、ターゲットの無線アクセスネットワークに関連付けられると共に、音声セッションをパケット交換ソース無線アクセスネットワークからターゲットの無線アクセスネットワークへハンドオーバすることを可能とする音声セッションの継続をサポートする、回線交換ドメインを含む。ターゲットの無線アクセスネットワークは、ターゲットのコアネットワークのネットワーク識別子に関連付けられる。本制御ノードは、通信ネットワークの一部であり、ソース無線アクセスネットワークに関連付けられる。本制御ノードは、少なくとも１つのターゲットの無線アクセスネットワークに関連付けられた少なくとも１つのターゲットのコアネットワークのネットワーク識別子を送信するように構成される送信部を有し、そのネットワーク識別子は音声セッションの継続へのサポートを示し、送信されたネットワーク識別子により示される音声セッションの継続の示されたサポートに基づいて、ターゲットのコアネットワークを選択するのに用いられる。
【００１０】
本発明の別の例示的な態様によれば、コンピュータプログラムが提供される。本コンピュータプログラムは、プロセッサにより実行されるときに、上述のような、通信ネットワークのパケット交換ソース無線アクセスネットワークからその通信ネットワークのターゲットの無線アクセスネットワークへ端末の音声セッションをハンドオーバするためにその通信ネットワークのターゲットのコアネットワークを選択する方法を実行し、または制御するように構成される。
【００１１】
以下では、本発明の実施形態について、例を参照してより詳細に説明するが、本発明の範囲がそこに限定されるわけではない。
【図面の簡単な説明】
【００１２】
【図１】本発明の第１の例示の実施形態による、通信ネットワークのパケット交換ソース無線アクセスネットワークからその通信ネットワークのターゲットの無線アクセスネットワークへ端末の音声セッションをハンドオーバするために、その通信ネットワークのターゲットのコアネットワークを選択する方法を説明するフロー図である。
【図２】本発明の第２の例示の実施形態により、通信ネットワークのパケット交換ソース無線アクセスネットワークからその通信ネットワークのターゲットの無線アクセスネットワークへ端末の音声セッションをハンドオーバするために、その通信ネットワークのターゲットのコアネットワークを選択する方法に関連付けられた、通信ネットワークを説明するブロック図である。
【図３】図２の通信ネットワークに関連付けられた本発明の第２の実施形態による方法を説明するフロー図である。
【図４】図２の通信ネットワークに関連付けられた本発明の第２の実施形態による方法を説明する別のフロー図である。
【図５】図２の通信ネットワークのネットワーク構成を説明するブロック図である。
【図６】本発明の例示の実施形態による、通信ネットワークのパケット交換ソース無線アクセスネットワークからその通信ネットワークのターゲットの無線アクセスネットワークへ端末の音声セッションをハンドオーバするために、その通信ネットワークのターゲットのコアネットワークを選択するノードの構成を説明するブロック図である。
【図７】本発明の例示の実施形態による、通信ネットワークのパケット交換ソース無線アクセスネットワークからその通信ネットワークのターゲットの無線アクセスネットワークへ端末の音声セッションをハンドオーバするために、その通信ネットワークのターゲットのコアネットワークを選択する制御ノードの構成を説明するブロック図である。
【発明を実施するための形態】
【００１３】
図面における説明は概略的なものである。異なる図面において、同様のまたは同一の要素は、同一の参照符号を用いて、または最初の桁において互いに異なる参照符号を用いて、提供される。
【００１４】
以下では、本発明の例示的な態様による、方法、ノード、制御ノード及びコンピュータプログラムについて、より詳細に説明する。
【００１５】
本出願の文脈の中では、用語「音声セッションの継続（ｖｏｉｃｅ  ｓｅｓｓｉｏｎ  ｃｏｎｔｉｎｕｉｔｙ）」は、特に、パケット交換ソース無線アクセスネットワークにおいて生じた、ターゲットのコアネットワークの回線交換ドメインに関連付けられたターゲットの無線アクセスネットワークへハンドオーバされる、ＩＭＳベースの音声セッションの、セッションの継続を可能とする機能を表す場合がある。具体的には、用語「音声セッションの継続」は、第３世代パートナーシッププロジェクト（３ＧＰＰ）の技術仕様書（ＴＳ）２３．２１６  ｖ１１．１．０に従って具体的に定義されうるＳＲＶＣＣを参照するかもしれない。
【００１６】
例示的な態様によれば、高速かつ確実な、パケット交換無線アクセスネットワークから、ターゲットのコアネットワークの回線交換ドメインに関連付けられたターゲットの無線アクセスネットワークへの端末の音声セッションのハンドオーバは、ソース無線アクセスネットワークのノードに、音声セッションの継続をサポートする１つ以上の可能性のあるターゲットのコアネットワークのネットワーク識別子を通知することにより、可能となりうる。さらに、ソース無線アクセスネットワークのノードにより実行される選択に基づいて、ソース無線アクセスネットワークに関連付けられた通信システムの制御ノードは、選択されたターゲットのコアネットワークのネットワーク識別子を通知されうる。ここで、選択するステップは、少なくとも１つのターゲットのコアネットワークに関連付けられたネットワーク識別子を選択することを含んでもよい。
【００１７】
このように、通信ネットワークは、パケット交換ソース無線アクセスネットワークからターゲットの無線アクセスネットワークへの端末の音声セッションのハンドオーバの間に、音声セッションの継続を可能とすることにより、改良され、またはアップグレードされうる。ここで、通信ネットワークは、パケット交換ソース無線アクセスネットワークから、端末の確立された音声セッションを伴わないターゲットのコアネットワークの回線交換ドメインに関連付けられたターゲットの無線アクセスネットワークへの、端末の回線交換フォールバックをもサポートしてもよい。さらに、ターゲットのコアネットワークの選択は、具体的には音声セッションの継続をサポートし、可能性のあるターゲットのコアアクセスネットワークについての別個の情報を用いるソース無線アクセスネットワークのノードの事前設定と比べて、端末の音声セッションをハンドオーバするために、各端末のために、動的に実行され、また、各端末に固有でありうる。したがって、通信ネットワークのネットワーク構成の変化が考慮されるかもしれない。
【００１８】
次に、ソース無線アクセスネットワークのノードにより実行される方法のさらなる例示の実施形態について説明する。しかしながら、これらの実施形態もまた、制御ノードにより実行される方法、ノード、制御ノード及びコンピュータプログラムに適用される。
【００１９】
ターゲットの無線アクセスネットワークは、通信ネットワークの複数のターゲットのコアネットワークに関連付けられる場合があり、選択するステップは、その複数のターゲットのコアネットワークからターゲットのコアネットワークを選択することを含みうる。複数のターゲットのコアネットワークのそれぞれは、別個のネットワーク識別子に関連付けられてもよく、ノードは、１つのメッセージにおいて、複数のターゲットのコアネットワークの複数のネットワーク識別子と、少なくとも１つのターゲットのコアネットワークのネットワーク識別子とを共に受信しうる。このように、音声セッションの継続は、３ＧＰＰ  ＴＳ  ２３．２５１  ｖ１０．２．０に従って具体的に定義されうる共有ネットワーク構成を有する通信ネットワークによってサポートされうる。具体的には、共有ネットワーク構成において、１つのターゲットの無線アクセスネットワークは、２つの異なるターゲットのコアネットワークに関連付けられうる。
【００２０】
例えば、このような共有ネットワーク構成は、２つの異なるネットワークオペレータが２つの異なるターゲットのコアネットワークに関連付けられうるが共有のターゲットの無線アクセスネットワークに関連付けられる、マルチ・オペレータ・コアネットワーク（ＭＯＣＮ）構成を含みうる。共有のターゲットの無線アクセスネットワークのセルは、両方のターゲットのコアネットワーク、したがって、両方のオペレータに関連付けられる場合があり、または、２つの異なるターゲットのコアネットワークの１つ、したがって２つの異なるオペレータのうちの１つのオペレータに関連付けられる場合がある。２つの異なるターゲットのコアネットワークの各ターゲットのコアネットワークは、２つの異なるネットワークオペレータにより共有されても共有されなくてもよい、別のターゲットの無線アクセスネットワークに関連付けられてもよい。別の共有ネットワーク構成は、２つの異なるターゲットのコアネットワークとターゲットの無線アクセスネットワークとの一部が異なるネットワークオペレータの間で共有されうるゲートウェイ・コアネットワーク（ＧＷＣＮ）構成を含んでもよい。ＭＯＣＮ構成では、各ターゲットのコアネットワークは、異なるネットワーク識別子に関連付けられてもよく、一方で、ＧＷＣＮ構成の場合では、ターゲットのコアネットワークは、それぞれが異なるネットワークオペレータに関連付けられうる、複数の異なるネットワーク識別子に関連付けられてもよい。
【００２１】
具体的には、方法は、さらに、少なくとも１つのターゲットのコアネットワークのネットワーク識別子望ましいネットワーク識別子でありうるかを判定することを含んでもよく、選択するステップは、後述する判定の結果に基づいて、具体的には、後述する判定が肯定であるかに基づいて、ターゲットのコアネットワークを選択することを含んでもよい。望ましいネットワーク識別子は、ソース無線アクセスネットワークのネットワークオペレータに関連付けられてもよく、したがって、望ましいネットワーク識別子のターゲットのコアネットワークへのハンドオーバは有益となりうる。この目的を達成するために、ノードは、例えば、１つ以上の望ましいネットワーク識別子のリストを有することにより、いずれのネットワーク識別子が好ましいかを知るように事前設定されてもよい。したがって、ソース無線アクセスネットワークとターゲットのコアネットワークのネットワークオペレータが一致しうる場合に、ハンドオーバの間のシグナリングが、そしてハンドオーバされる音声セッションの課金も、容易にされうる。後述の判定が、音声セッションの継続へのサポートを示す受信したネットワーク識別子のいずれに対しても、すなわち、少なくとも１つのターゲットのコアネットワークのネットワーク識別子とオプションとして、さらに、音声セッションの継続を示すネットワーク識別子とに対しても、肯定的でない場合、選択するステップは、音声セッションの継続をサポートし、そして、音声セッションの継続へのサポートを示す受信したネットワーク識別子のいずれかと関連付けられている、コアネットワークを選択することにより、なおも、実行されうる。
【００２２】
少なくとも１つのコアネットワークのネットワーク識別子を受信する第１のオプションでは、少なくとも１つのターゲットのコアネットワークのネットワーク識別子が、音声セッションの継続へのサポート、そして、オプションとして音声セッションのターゲットのコアネットワークのパケット交換ドメインへのハンドオーバへのサポートを示す、ターゲットのコアネットワークのネットワーク識別子のみを含むリストにおいて受信されうる。以下では、後述する端末のハンドオーバを「パケット交換ハンドオーバ」と呼ぶ場合がある。具体的には、そのリストのネットワーク識別子のすべてまたは一部は、音声セッションの継続へのサポートのみを示しうる。したがって、すべてのネットワーク識別子が音声セッションの継続へのサポートを示しうるため、選択するステップは、そのリストから任意のネットワーク識別子を選択することを含んでもよい。この目的のため、ソース無線アクセスネットワークに関連付けられた制御ノードは、音声セッションの継続をサポートし、可能性のあるターゲットのコアネットワークのネットワーク識別子を選択してもよく、その選択に基づいてリストを生成してもよい。さらに、ソース無線アクセスネットワークのノードは、受信されるリストが、音声セッションの継続をサポートし、可能性のあるターゲットのコアネットワークのネットワーク識別子のみを含みうることを知るように事前に構成されてもよい。したがって、少数のネットワーク識別子のみが、制御ノードからソース無線アクセスネットワークのノードへ送信されうるため、ネットワーク識別子の送信のためのシグナリングの負荷が低減されるかもしれない。
【００２３】
少なくとも１つのコアネットワークのネットワーク識別子を受信する第２のオプションでは、方法は、さらに、音声セッションのターゲットのコアネットワークのパケット交換ドメインへのハンドオーバへのサポートを示す、ターゲットのコアネットワークのネットワーク識別子を含む別のリストを受信することを含んでもよい。上述のリストと、この別のリストとは、１つのメッセージにおいて共に受信されてもよいし、２つのメッセージにおいて別個に受信されてもよい。この別のリストのすべてのネットワーク識別子は、音声セッションの継続へのサポートを示さないかもしれない。したがって、選択するステップは、音声セッションの継続へのサポートを示すターゲットのコアネットワークのネットワーク識別子のみを含むリストからネットワーク識別子を選択することを含んでもよい。ここで、ノードは、２つの異なるリストの受信と、いずれのリストが少なくとも１つのターゲットのコアネットワークのネットワーク識別子を含みうるかに気づくように事前に構成されてもよい。
【００２４】
少なくとも１つのコアネットワークのネットワーク識別子を受信する第３のオプションでは、少なくとも１つのターゲットのコアネットワークのネットワーク識別子は、ターゲットのコアネットワークのネットワーク識別子を含むリストにおいて受信されてもよく、音声セッションの継続のサポートについての個別の表示は、少なくとも１つのターゲットのコアネットワークのネットワーク識別子に関連付けられてもよい。例えば、表示は、少なくとも１つのターゲットのコアネットワークのネットワーク識別子、または音声セッションの継続へのサポートをも示すそれらのターゲットのコアネットワークのネットワーク識別子と関連付けられたタグとして構成されてもよい。具体的には、リスト内のネットワーク識別子により示されたターゲットのコアネットワークは、パケット交換のハンドオーバと音声セッションの継続との少なくともいずれかをサポートしてもよい。ここで、ノードは、受信されたネットワーク識別子に関連付けられた表示または受信されたネットワーク識別子を解釈することができるように事前に構成されてもよい。
【００２５】
具体的には、少なくとも１つのターゲットのコアネットワークのネットワーク識別子は、「変形された」ハンドオーバ制限リスト（“ｍｏｄｉｆｉｅｄ”  Ｈａｎｄｏｖｅｒ  Ｒｅｓｔｒｉｃｔｉｏｎ  Ｌｉｓｔ）において受信されてもよく、ハンドオーバ制限リストは、特に、３ＧＰＰ  ＴＳ  ２３．４０１  ｖ１０．４．０に従って定められうる。具体的には、変形されたハンドオーバ制限リストは、上述の第１のオプションで受信されたリストまたは上述の第３のオプションで受信されたリストを含み、またはそれらのリストと同一でありうる。上述の第２のオプションの場合、変形されたハンドオーバ制限リストは、第１の部分と第２の部分とを含んでもよく、第１の部分は、パケット交換ハンドオーバへのサポートを示すターゲットのコアネットワークのネットワーク識別子のみを含むリストを含んでもよく、第２の部分は、音声セッションの継続へのサポートを示すターゲットのコアネットワークのネットワーク識別子のみを含むリストを含んでもよい。
【００２６】
方法は、少なくとも１つのターゲットのコアネットワークに関連付けられた少なくとも１つのターゲットの無線アクセスネットワークのための、端末からの接続品質情報を受信することを含んでもよく、選択するステップは、受信した接続品質情報に基づいてターゲットのコアネットワークを選択することを含んでもよい。この目的の達成のために、ノードは、受信したネットワーク識別子に関連付けられた少なくとも１つのターゲットのコアネットワークに関連付けられた少なくとも１つのターゲットの無線アクセスネットワークへの端末の接続のために、端末からの接続品質情報をリクエストしてもよい。具体的には、接続品質情報は、端末により生成される１つ以上の測定報告を含んでもよいし、その１つ以上の測定報告として構成されてもよい。したがって、端末の可能性のあるターゲットの無線アクセスネットワークへの接続の信号強度が選択のために考慮されうるため、選択するステップは、さらに改良されうる。さらに、ソース無線アクセスネットワークのノードは、少なくとも１つのターゲットのコアネットワークに関連付けられたこの特定のターゲットの無線アクセスネットワークへの端末の接続の高い信号強度を示すターゲットの無線アクセスネットワークを選択するようにしてもよい。
【００２７】
具体的には、方法は、さらに、受信した少なくとも１つのターゲットのコアネットワークのネットワーク識別子に基づいて、無線アクセスリスト、特に隣接セルリスト（ＮＣＬ）を生成することを含んでもよい。具体的には、無線アクセスリストは、受信したネットワーク識別子により示される少なくとも１つのコアネットワークに関連付けられた少なくとも１つのターゲットの無線アクセスネットワークの１つ以上のセルを、そしてオプションとして、さらに受信した、音声セッションの継続へのサポートを示すネットワーク識別子により示されるターゲットのコアネットワークとさらに関連付けられたターゲットの無線アクセスネットワーク１つ以上のセルを、含んでもよい。無線アクセスリストは、端末が潜在的に位置しうるカバレッジエリアのセルを含む。具体的には、無線アクセスリストは、接続品質情報の受信とリクエストとの少なくともいずれかに先立ってまたはその後に、生成されうる。コアネットワークの選択は、セルを、したがって、少なくとも１つのコアネットワークのネットワーク識別子に関連付けられたターゲットのコアネットワークを、選択することにより実行されうる。この目的の達成のため、そのセルに関連付けられたネットワーク識別子が選択されうる。したがって、選択するステップは、適切なターゲットの無線アクセスネットワークのセルがその選択のために集められうるという点で、促進され、固定されうる。
【００２８】
選択するステップは、少なくとも１つのターゲットのコアネットワークと関連付けられたポリシに基づいて、ターゲットのコアネットワークを選択することを含んでもよい。この目的のために、方法は、さらに、実行されるハンドオーバがそのポリシに従っているかを判定することをさらに含んでもよく、選択するステップは、後述の判定の結果に基づいて、そして具体的には、後述の判定が肯定的でありうるかに基づいて、ターゲットのコアネットワークを選択することを含んでもよい。具体的には、このようなポリシは、端末を、例えば、その日の特定の時間の間、または、加入者及びターゲットの無線アクセスネットワークとターゲットのコアネットワークとの少なくともいずれかに関連付けられたネットワークオペレータの間の特定の契約に基づいて、少なくとも１つのターゲットのコアネットワークに関連付けられたターゲットの無線アクセスネットワークへハンドオーバさせることが許容されるかを含んでもよい。したがって、方法は、既存のポリシに従って実行されてもよく、それにより、既存の音声セッションの継続のサポートのための既存の通信ネットワークの改良が促進されうる。
【００２９】
具体的には、上述のステップは、端末の終端側との音声セッションの確立が実行されうるか、端末の終端側への音声セッションが確立されているかもしれないかの少なくともいずれかの、端末の接続状態の間に、実行されうる。後者の場合の両方において、端末は、音声セッションを開始しているかもしれないし、着呼側となっているかもしれない。
【００３０】
方法は、さらに、パケット交換ソース無線アクセスネットワークからターゲットの無線アクセスネットワークへ端末のセッションをハンドオーバする際に、音声セッションの継続をリクエストし、選択されたターゲットのコアネットワークのネットワーク識別子をパケット交換ソース無線アクセスネットワークに関連付けられた通信ネットワークの制御ノードへ送信することを含んでもよい。具体的には、音声セッションの継続とネットワーク識別子との少なくともいずれかのリクエストが、１つのメッセージにおいて、例えば、ハンドオーバリクエストメッセージで送信されてもよいし、別個のメッセージにおいて送信されてもよい。したがって、ソース無線アクセスネットワークに関連付けられた制御ノードは、ハンドオーバを実行するためのターゲットのコアネットワークを選択することが可能となりうる。
【００３１】
ネットワーク識別子は、３ＧＰＰ  ＴＳ  ２３．００３  ｖ９．０．０に従って特に定められうる、少なくとも１つの公衆陸上移動体ネットワーク（ＰＬＭＮ）の識別子を含んでもよい。具体的には、ネットワーク識別子は、ともにターゲットのコアネットワークに関連付けられている、いわゆる、選択されたＰＬＭＮ識別子と等価ＰＬＭＮ識別子との少なくともいずれかを含んでもよい。用語「等価ＰＬＭＮ識別子」は、端末が選択されたＰＬＭＮ識別子のターゲットのコアネットワークとの接点を失いうる場合に選択されたＰＬＭＮ識別子のコアネットワークにより提供されるサービスと同様のサービスを受けるための、端末によりアクセス可能でありうる選択されたＰＬＭＮ識別子のコアネットワークとは異なる、コアネットワークのネットワーク識別子を参照しうる。
【００３２】
具体的には、ソース無線アクセスネットワークとターゲットの無線アクセスネットワークとの少なくともいずれかは、端末のホーム通信ネットワークと、またはホーム通信ネットワークとは異なる端末のサービング通信ネットワークと関連付けられうる。ホーム通信ネットワークとサービング通信ネットワークとのネットワーク識別子は互いに同一でありうる。
【００３３】
次に、ソース無線アクセスネットワークと関連付けられた制御ノードによって実行される方法のさらなる例示の実施形態について説明する。しかしながら、これらの実施形態も、ソース無線アクセスネットワークのノードにより実行される方法、ノード、制御ノード及びコンピュータプログラムに適用される。
【００３４】
具体的には、制御ノードは、ソースコアネットワークのパケット交換ネットワークドメインに配置され、または、ソースコアネットワークのパケット交換ネットワークドメインの一部でありえ、パケット交換ドメインは、ソース無線アクセスネットワークと関連付けられうる。具体的には、ソースコアネットワークは、専らパケット交換ドメインを有してもよく、または、パケット交換ドメインと回線交換ドメインとを有してもよい。具体的には、ソースコアネットワーク及びターゲットのコアネットワークは、互いに同一であってもよいし、互いに異なってもよい。
【００３５】
方法は、さらに、端末の加入者に対して音声セッションの継続がサポートされうるかを判定することを含んでもよい。具体的には、通信ネットワークの共有ネットワーク設定の場合、判定は、その通信ネットワークの共有ネットワーク設定に対して、端末の加入者に対して音声セッションの継続がサポートされうるかを判定することを含んでもよい。さらに、方法は、後述の判定に基づいて、特に、後述の判定が肯定的でありうる場合に、端末の加入者に対する音声セッションの継続についてのサポートを示すサポート指標を、ソース無線アクセスネットワークのノードへ送信することを含んでもよい。サポート指標は、少なくとも１つのターゲットのコアネットワークのネットワーク識別子とともに、１つのメッセージにおいて、または別個のメッセージにおいて、送信されてもよい。
【００３６】
具体的には、端末と関連する加入者に対して音声セッションの継続がサポートされうるかを判定するステップは、加入者サーバ、特にホーム加入者サーバが、加入者と関連付けられている加入者サーバの加入者登録における、音声セッションの継続がサポートされている表示を含みうるかの判定を含んでもよい。この目的のため、制御ノードは、加入者の表示に関する情報をリクエストし、加入者サーバから、それを受信してもよい。
【００３７】
具体的には、端末は、音声セッションの継続が加入者のために実行されうるように、音声セッションの継続をサポートしてもよい。
【００３８】
方法は、さらに、選択されたターゲットのコアネットワークのネットワーク識別子を受信し、ハンドオーバを実行するために、受信したネットワーク識別子に基づいて、選択されたターゲットのコアネットワークの回線交換ドメイン制御ノードを選択することを含んでもよい。ネットワーク識別子は、ハンドオーバリクエストメッセージにおいて送信されてもよい。
【００３９】
方法は、さらに、選択されたターゲットのコアネットワークの受信したネットワーク識別子を、選択された制御ノードへ送信することを含んでもよい。このために、制御ノードは、ターゲットのコアネットワークの制御ノードが少なくとも別のネットワーク識別子と関連付けられうるかを判定してもよい。例えば、通信ネットワークのＧＷＣＮ共通ネットワーク構成では、ターゲットのコアネットワークの制御ノードは、別のコアネットワークの一部でありうる。受信したネットワーク識別子の送信は、後述の判定の結果に基づいて、具体的には、後述の判定が肯定的でありうる場合に、実行されてもよい。ネットワーク識別子は、ハンドオーバリクエストメッセージにおいて送信されてもよい。このように、ターゲットのコアネットワークの制御ノードは、選択されたターゲットのコアネットワークに関連付けられた的確なターゲットの無線アクセスネットワークを選択することが可能となりうる。
【００４０】
次に、ノードのさらなる例示の実施形態について説明する。しかしながら、これらの実施形態は、方法、制御ノード及びコンピュータプログラムにも適用される。
【００４１】
具体的には、ノードのユニットは、上述のように、端末の音声セッションを通信ネットワークのパケット交換ソース無線アクセスネットワークからその通信ネットワークのターゲットの無線アクセスネットワークへハンドオーバするために、その通信ネットワークのターゲットのコアネットワークを選択する方法の１つ以上のステップを実行するように構成されうる。
【００４２】
ノードは、パケット交換ＬＴＥアクセスネットワークのｅＮｏｄｅＢまたはＵＴＲＡＮ  ＨＳＰＡ無線アクセスネットワークのＮｏｄｅＢとして構成されうる。
【００４３】
次に、制御ノードのさらなる例示的な実施形態について説明する。しかしながら、これらの実施形態も、方法、ノード及びコンピュータプログラムに適用される。
【００４４】
具体的には、制御ノードのユニットは、上述のように、端末の音声セッションを通信ネットワークのパケット交換ソース無線アクセスネットワークからその通信ネットワークのターゲットの無線アクセスネットワークへハンドオーバするために、その通信ネットワークのターゲットのコアネットワークを選択する方法の１つ以上のステップを実行するように構成されうる。
【００４５】
制御ノードは、特に通信ネットワークのソースコアネットワークのパケット交換ドメインの移動管理エンティティとして構成されうる。
【００４６】
具体的には、選択されたターゲットのコアネットワークの制御ノードの各ユニットは、上述のように、端末の音声セッションを通信ネットワークのパケット交換ソース無線アクセスネットワークからその通信ネットワークのターゲットの無線アクセスネットワークへハンドオーバさせるために、その通信ネットワークのターゲットのコアネットワークを選択する方法の１つ以上のステップを実行するように構成されうる。
【００４７】
具体的には、選択されたターゲットのコアネットワークの制御ノードは、移動通信交換局サーバ（ＭＳＣ−Ｓ）として構成されてもよい。
【００４８】
図１を参照して、本発明の第１の実施形態に従って、端末の音声セッションを通信ネットワークのパケット交換ソース無線アクセスネットワークからその通信ネットワークのターゲットの無線アクセスネットワークへハンドオーバするために、その通信ネットワークのターゲットのコアネットワークを選択する方法について説明する。本方法に関連する通信ネットワーク１００は、通信ネットワーク１００のＩＭＳドメイン、パケット交換ソース無線アクセスネットワーク１０４、例えばＬＴＥ無線アクセスネットワーク、ソース無線アクセスネットワーク１０４に関連するソースコアネットワーク１０６のパケット交換ネットワークドメイン、ターゲットの無線アクセスネットワーク、例えばＧＥＲＡＮ無線アクセスネットワーク、及び、ターゲットの無線アクセスネットワークに関連する回線交換ドメインを有するターゲットのコアネットワーク１１０を含みうる。ノード１１２、例えばｅＮｏｄｅＢは、ソース無線アクセスネットワーク１０４の一部であり、ソースコアネットワーク１０６のパケット交換ドメインの制御ノード１１４、例えばＭＭＥは、ソース無線アクセスネットワーク１０４に関連付けられる。制御ノード１１６、例えばＭＳＣ−Ｓは、ターゲットのコアネットワーク１１０の一部である。端末１１８は、ソース無線アクセスネットワーク１０４のカバレッジエリアに位置し、終端側との音声セッションを有する。音声セッションは、通信ネットワーク１００のＩＭＳドメインにアンカーされる。端末１１８、ソース無線アクセスネットワーク１０４、ソースコアネットワーク１０６、ターゲットの無線アクセスネットワーク、及びターゲットのコアネットワーク１１０は、端末１１８をソース無線アクセスネットワーク１０４からターゲットの無線アクセスネットワークへハンドオーバさせるときの音声セッションのセッション転送の間の、音声セッションの継続をサポートする。
【００４９】
さらに、通信ネットワーク１００は、ＭＯＣＮネットワーク構成を有してもよく、ターゲットの無線アクセスネットワークは、ターゲットのコアネットワーク１１０と少なくとも別の異なるコアネットワークと関連付けられてもよい。ターゲットのコアネットワーク１１０は、ネットワークオペレータＡに関連付けられてもよく、その少なくとも別のコアネットワークは、別の異なるネットワークオペレータＢに関連付けられてもよい。端末１１８がハンドオーバされるべき先のターゲットの無線アクセスネットワークのセルは、ターゲットのコアネットワーク１１０と別のコアネットワークとの両方に、したがって、ネットワークオペレータＡと別のネットワークオペレータＢに、関連付けられてもよい。代わりに、端末１１８がハンドオーバされるべき先のターゲットの無線アクセスネットワークのセルは、ターゲットのコアネットワーク１１０と別のターゲットのコアネットワークのいずれか、したがって、ネットワークオペレータＡと別のネットワークオペレータＢとのいずれかに関連付けられてもよい。ターゲットのコアネットワーク１１０と別のターゲットのコアネットワークは、異なるネットワーク識別子ａ及びｂをそれぞれ有する。ネットワーク識別子ａはオペレータＡに属し、ネットワーク識別子ｂはオペレータＢに属する。したがって、ターゲットの無線アクセスネットワークは、ターゲットのコアネットワーク１１０と別のターゲットのコアネットワークのネットワーク識別子ａ及びｂと関連付けられる。ターゲットのコアネットワーク１１０のネットワーク識別子ａは、音声セッションの継続のサポートを表示する。別のコアネットワークのネットワーク識別子ｂは、端末１１８の音声セッションのターゲットのコアネットワーク１１０パケット交換ドメインへのパケット交換ハンドオーバのサポートを表示する。
【００５０】
方法の第１のステップ１２０では、制御ノード１１４は、特定のＭＯＣＮネットワーク構成に対して、端末１１８の音声セッションをパケット交換ソース無線アクセスネットワーク１０４からターゲットの無線アクセスネットワークへハンドオーバすることを可能とする音声セッションの継続が端末１１８に関連付けられた加入者に対してサポートされているかを判定する。ここで、端末１１８に関連付けられた加入者に対して音声セッションの継続がサポートされ、したがって、ステップ１２０の判定は、肯定的である。次に、ステップ１２２において、制御ノード１１４は、ＭＯＣＮネットワーク構成のためのソース無線アクセスネットワーク１０４に対して音声セッションの継続がサポートされているかを判定する。ソース無線アクセスネットワーク１０４は音声セッションの継続をサポートしているため、ステップ１２２の判定もまた肯定的である。次に、ステップ１２４において、制御ノード１１４は、ステップ１２０における判定の結果に基づいて、端末１１８に関連付けられた加入者のために音声セッションの継続がサポートされていることを示すサポート指標を、ソース無線アクセスネットワーク１０４のノード１１２へ送信する。次に、制御ノード１１４は、音声セッションの継続をサポートする、可能性のあるターゲットのコアネットワーク１１０のすべてのネットワーク識別子ａを選択する。
【００５１】
ステップ１２６では、制御ノード１１４は、ターゲットのコアネットワーク１１０のネットワーク識別子ａを含む、可能性のあるターゲットのコアネットワーク１１０のネットワーク識別子ａを、ノード１１２へ送信する。ネットワーク識別子ａは、可能性のあるターゲットのコアネットワーク１１０のネットワーク識別子ａを専ら含むリストに含められてもよく、すなわち、そのリストにおけるネットワーク識別子ａのエントリは、音声セッションの継続のサポートを示す。次に、ステップ１２８において、ソース無線アクセスネットワーク１０４のノード１１２は、ステップ１２６で受信し、端末１１８のカバレッジエリアにいる、ネットワーク識別子のターゲットのコアネットワークに関連付けられたターゲットの無線アクセスネットワークのセルを含む無線アクセスリストを生成する。無線アクセスリストの各セルは、そのセルが属するターゲットの無線アクセスネットワークに関連付けられたターゲットのコアネットワーク１０６のそれぞれのネットワーク識別子により参照される。ここで、ステップ１２６のリストで受信されたネットワーク識別子ａのターゲットのコアネットワーク１１０に関連付けられた無線アクセスネットワークの隣接セルは、生成された無線アクセスリストに含められる。次に、ステップ１３０において、ノード１１２は、端末１１８からの、生成された無線アクセスリストにおいて示される可能性のあるターゲットのコアネットワークと関連付けられたそれぞれのターゲットの無線アクセスネットワーク１１０に対する、端末１１８の接続の接続品質情報をリクエストする。次に、ステップ１３２において、端末１１８は、それぞれの接続品質測定を実行した後に、リクエストされた接続品質情報をノード１１２へ送信する。ここで、ターゲットのコアネットワーク１１０と少なくとも別のターゲットのコアネットワークに関連付けられたターゲットの無線アクセスネットワークは、高い信号強度を有するように特定される。ステップ１３４において、ソース無線アクセスネットワーク１０４のノード１１２は、端末１１８のハンドオーバが、無線アクセスリストに含まれ、その関連付けられた無線アクセスネットワーク端末１１８に対する接続の最も高い接続品質を示すセルに関連付けられた、それらのターゲットのコアネットワーク１１０に対するポリシに従っているかを判定する。このステップにおいて、ターゲットのコアネットワーク１１０が特定される。次に、ステップ１３６において、ノード１１２は、ステップ１２６で受信されたネットワーク識別子のいずれかが好ましいネットワーク識別子、すなわち、ソース無線アクセスネットワーク１０４のネットワークオペレータに関連付けられているかを判定する。ここで、ターゲットのコアネットワーク１１０のネットワーク識別子ａが、再度特定される。次に、ステップ１３８において、受信した接続品質情報１３２、ステップ１３４における判定の結果、及びステップ１３６における判定の結果に基づいて、特定のセル、ひいてはターゲットのコアネットワーク１１０に関連付けられたネットワーク識別子ａの選択に関して、ステップ１３８において生成される無線アクセスリストからターゲットの無線アクセスネットワークを選択することにより、ターゲットのコアネットワーク１１０が選択される。
【００５２】
次に、ステップ１４０では、ノード１１２は、端末１１８の音声セッションのソース無線アクセスネットワーク１０４からターゲットのコアネットワーク１１０に関連付けられたターゲットの無線アクセスネットワークへのハンドオーバをリクエストするハンドオーバリクエストを制御ノード１１４へ送信する。ハンドオーバリクエストは、音声セッションのセッション転送の間の音声セッションの継続の実行のリクエストと、選択されたターゲットのコアネットワーク１１０のネットワーク識別子ａとを含む。ステップ１４２において、制御ノード１１４は、受信したネットワーク識別子ａに基づいて、ターゲットのコアネットワーク１１０の制御ノード１１６を選択する。ステップ１４４において、制御ノード１１４は、選択されたターゲットのコアネットワーク１１０が少なくとも別のネットワーク識別子に関連付けられているかを判定する。通信ネットワーク１１０の共有ネットワーク構成がＭＯＣＮタイプであるため、ターゲットのコアネットワーク１１０は、別のネットワーク識別子と関連付けられておらず、ステップ１４４の判定は、肯定的ではない。したがって、ステップ１４６で制御ノード１１４から制御ノード１１６へ送信されるハンドオーバ被要求リクエストに、選択されたターゲットのコアネットワーク１１０のネットワーク識別子ａは含められない。ステップ１４８では、制御ノード１１６は、受信したハンドオーバ被要求メッセージに基づいて、ターゲットのコアネットワーク１１０を選択する。
【００５３】
代わりに、ステップ１２６において、ターゲットのコアネットワーク１１０のネットワーク識別子ａが、音声セッションの継続のサポートを示すターゲットのコアネットワーク１１０のネットワーク識別子ａを専ら含むリストにおいて、受信されてもよい。さらに、別のリストが、上述のリストと共に、１つのメッセージで転送されてもよく、端末１１８の音声セッションのパケット交換ハンドオーバのサポートを示すターゲットのコアネットワークのネットワーク識別子ｂを専ら含んでもよい。ステップ１３０から１３６は、上述のリスト及び別のリストにおいて受信されたすべてのネットワーク識別子ａ、ｂに対して実行されてもよい。代わりに、ステップ１２８で生成された無線アクセスリストは、音声セッションの継続のサポートを示すターゲットのコアネットワーク１１０のネットワーク識別子ａによって示される、それらのターゲットの無線アクセスネットワークのセルのみを含んでもよい。
【００５４】
さらに、ターゲットのコアネットワーク１１０のネットワーク識別子ａは、ステップ１２６において、パケット交換ハンドオーバと音声セッションの継続との少なくともいずれかをサポートするすべての可能性のあるターゲットのコアネットワークのネットワーク識別子ａ、ｂを含むリストにおいて、受信されてもよい。音声セッションの継続のサポートの個別の指標は、ステップ１２６において、ネットワーク識別子と共に、１つのメッセージにおいて受信されてもよく、ターゲットのコアネットワーク１１０のネットワーク識別子ａと音声セッションの継続のサポートを示すターゲットのコアネットワークのそれらのネットワーク識別子に関連付けられてもよい。ステップ１２８で生成される無線アクセスリストは、音声セッションの継続のサポートを示すターゲットのコアネットワーク１１０のネットワーク識別子ａと関連付けられるターゲットの無線アクセスネットワークのセルを専ら含む。したがって、ステップ１３０〜１３６は、音声セッションの継続のサポートを示すターゲットのコアネットワーク１１０に対して実行されうる。
【００５５】
さらに、ステップ１４４は省略されてもよい。
【００５６】
さらに、通信ネットワーク１００のＧＷＣＮネットワーク構成は以下のように想定される。このネットワーク構成では、制御ノード１１６は、ターゲットのコアネットワーク１１０と別のターゲットのコアネットワークとの間で共有されてもよい。ターゲットの無線アクセスネットワークは、ターゲットのコアネットワーク１１０と当該別のターゲットのコアネットワークとに関連付けられる。ターゲットのコアネットワーク１００は、オペレータＡに属すると共にネットワーク識別子ａを有し、別のターゲットのコアネットワークはオペレータＢに属すると共にネットワーク識別子ｂを有する。通信ネットワーク１００のＭＯＣＮ構成に関して説明された方法も、同様に実行される。しかしながら、ステップ１４４の判定は肯定的となり、ステップ１４６において、選択されたターゲットのコアネットワーク１１０のネットワーク識別子ａが、ハンドオーバ被要求メッセージにおいて、制御ノード１１６へ送信される。ステップ１４８がステップ１４６に続いて実行され、制御ノード１１６によって、ハンドオーバを成功裏に実行するために、ステップ１４６で受信されたネットワーク識別子ａに基づいて、ターゲットのコアネットワーク１１０が選択される。
【００５７】
図２〜４を参照して、本発明の第２の例示的な実施形態により、通信ネットワークのパケット交換無線アクセスネットワークからその通信ネットワークのターゲットの無線アクセスネットワークへ端末の音声セッションをハンドオーバするために、通信ネットワークのターゲットのコアネットワークを選択する方法に関連する、通信ネットワーク２００について説明する。通信ネットワーク２００は、共に共通参照番号２５２により表されているサービス呼セッション制御機能（Ｓ−ＣＳＣＦ）と問合せ呼セッション制御機能（Ｉ−ＣＳＣＦ）、サービス集中および継続アプリケーションサーバ（ＳＣＣ  ＡＳ）２５４及びホーム加入者サーバ（ＨＳＳ）２５６が配置される、ホーム公衆陸上移動体ネットワーク（ＨＰＬＭＮ）として構成された、ＩＭＳに基づくホーム通信ネットワーク２５０を含む。端末２５８もまた、ＨＰＬＭＮ２５０に位置する。
【００５８】
通信ネットワーク２００のサービング通信ネットワーク２６０は、訪問先公衆陸上移動体ネットワーク（ＶＰＬＭＮ）として構成される。端末２１８は、ＶＰＬＭＮ２６０に位置し、ｅＮｏｄｅＢとして構成されるＬＴＥ無線アクセスネットワーク２０４のノード２１２を介して、ＭＭＥとして構成される制御ノード２１４に接続される。ＭＭＥ２１４は、ＬＴＥ無線アクセスネットワーク２０４に関連付けられたパケット交換ソースコアネットワーク２０６の一部を形成する。ターゲットのコアネットワーク２１０は、制御ノード２１６、ターゲットのコアネットワーク２１０の回線交換ドメインの一部であるＭＳＣ−Ｓ、及びターゲットのコアネットワーク２１０のパケット交換ドメインに関連付けられたサービングゲートウェイ汎用パケット無線サービス（ＧＰＲＳ）サポートノード（ＳＧＳＮ）２６１を含む。ターゲットのコアネットワーク２１０の回線交換ドメインに関連付けられた、ＧＳＭ（ＧＥＲＡＮ／ＵＴＲＡＮ）に基づくターゲットの無線アクセスネットワーク２６２は、ノード２６４、すなわち、ＧＥＲＡＮ無線アクセスネットワークの場合の無線基地局装置（ＢＴＳ）またはＵＴＲＡＮ無線アクセスネットワークの場合のＮｏｄｅＢ、及びノード２６６、すなわち、ＧＥＲＡＮ無線アクセスネットワークの場合の基地局制御装置（ＢＳＣ）またはＵＴＲＡＮ無線アクセスネットワークの場合の無線ネットワーク制御装置（ＲＮＣ）を含む。サービング通信ネットワーク２６０の、共通の参照番号２６８により表されているサービングゲートウェイ（Ｓ−ＧＷ）及びＰＤＮゲートウェイ、プロキシ呼セッション制御機能２７０、アクセス転送ゲートウェイ２７２、及びアクセス転送制御機能（ＡＴＣＦ）２７４はＭＭＥ２１４とソース無線アクセスネットワーク２０４とホーム通信ネットワーク２５０との間の相互接続性を提供する。ポリシ及び課金ルール機能（ＰＣＲＦ）３７６も、ホーム通信ネットワーク２５０の一部である（図３）。説明の目的のため、Ｓ−ＧＷ及びＰ−ＧＷは、図３において別々のノードとして図解されており、それぞれ参照番号２６８ａ、ｂによって表されている。図４において、Ｉ−ＣＳＣＦ及びＳ−ＳＣＳＣＦは別個のノードとして図解され、それぞれ、参照番号２５２ａ、ｂにより表されている。
【００５９】
通信ネットワーク２００は、ＧＷＣＮネットワーク構成内にあってもよく、ターゲットの無線アクセスネットワーク２６２は、オペレータＡに関連するコアネットワーク２１０とオペレータＢに関連する別のコアネットワークとによって共有される。コアネットワーク２１０のＭＳＣ−Ｓ２１６は、オペレータＡと別のオペレータＢとにより共有される。ターゲットのコアネットワーク２１０のネットワーク識別子は、選択されたＰＬＭＮ識別子として構成され、ａにより表されている。ターゲットのコアネットワーク２１０は、ＳＲＶＣＣとパケット交換ハンドオーバとをサポートし、選択されたＰＬＭＮ識別子ａのエンティティは、ＳＲＶＣＣとパケット交換ハンドオーバとのサポートを示す。当該別のコアネットワークは、選択されたＰＬＭＮ識別子ｂにより関連付けられ、パケット交換ハンドオーバのみをサポートする。したがって、別のコアネットワークのＰＬＭＮ識別子ｂのエンティティはパケット交換ハンドオーバのサポートを示す。
【００６０】
端末２１８が終端側の端末２５８に対して音声セッションを確立した場合、ＭＭＥ２１４は、ステップ２２０において、アクセス手順の図３における最初のステップ１、２の後で、ＧＷＣＮネットワーク構成に対して、端末２１８に関連する加入者に対してＳＲＶＣＣがサポートされているかを判定する。その後、ステップ３において、端末２１８に対する認証と承認手順が実行される。ステップ２２０の判定が肯定的であるため、ステップ２２４において、端末２１８に関連付けられた加入者に対する音声セッションの継続のサポートを示すサポート指標が、ＭＭＥ２１４からｅＮｏｄｅＢ２１２へ送信される。ＭＭＥ２１４は、ステップ２２６において、端末２１８のＳＲＶＣＣとソース無線アクセスネットワーク２０４からターゲットのコアネットワーク２１０のパケット交換ドメインに関連付けられたターゲットのアクセスネットワーク２６２へのパケット交換ハンドオーバのサポートを示す、それらのターゲットのコアネットワーク２１０の選択されたＰＬＭＮ識別子ａ及び等価ＰＬＭＮ識別子ａ２を含む変形されたハンドオーバ制限リストを、ｅＮｏｄｅＢ２１２へ送信する。ステップ２２４及び２２６は、同様に実行され、サポート指標と変形されたハンドオーバ制限リストとが、初期コンテクスト設定リクエストに含められる点において、ステップ４の一部である。
【００６１】
次に、ステップ２２８において、ｅＮｏｄｅＢ２１２は、変形されたハンドオーバ制限リストにおける受信したＰＬＭＮ識別子ａに基づいて、隣接セルリスト（ＮＣＬ）を生成する。ＮＣＬは、端末２１８が位置しうるカバレッジエリアにおけるセル、かつ、ステップ２１６で受信されたＰＬＭＮ識別子ａにより示されるターゲットの無線アクセスネットワーク２０４に属するセルを含む。したがって、ＮＣＬは、音声セッションの継続のサポートを示すＰＬＭＮ識別子ａを含む。ステップ２３０、２３２において、ｅＮｏｄｅＢ２１２は、ＮＣＬに含まれるセルについての端末２１８からの測定報告をリクエストし、リクエストした測定報告を受信する。ステップ２３４において、ｅＮｏｄｅＢ２１２は、ＮＣＬに含まれるセルに関連付けられたＰＬＭＮ識別子ａを有するターゲットのコアネットワーク２１０に対して、端末２１８のハンドオーバとＳＲＶＣＣがステップ２２６で受信されたＰＬＭＮ識別子ａにより示されるターゲットのコアネットワーク２１０に対して定められているローカルポリシに従っているかを判定する。ステップ２３６において、ｅＮｏｄｅＢ２１２は、ターゲットのコアネットワーク２１０の受信したＰＬＭＮ識別子ａのいずれかが好ましいネットワーク識別子であるか、すなわち、ソース無線アクセスネットワーク２０４のオペレータに属しているか、ひいては「好ましい」ハンドオーバが可能であるかを判定する。ステップ２３８では、ｅＮｏｄｅＢ２１２は、ステップ２３２で受信された測定報告と、ステップ２３４、２３６における判定の結果とに基づいて、ターゲットのコアネットワーク２１０のＰＬＭＮ識別子ａを選択する。その後、ステップ５から１２において、セッションの確立についての従来の手順が実行される。
【００６２】
変形されたハンドオーバ制限リストにおいてＳＲＶＣＣとパケット交換ハンドオーバのサポートを示す、選択されたＰＬＭＮ識別子ａとそれらの可能性のあるターゲットのコアネットワークの等価ＰＬＭＮ識別子を送信することに代えて、選択されたＰＬＭＮ識別子ａ、ｂ及びすべてのターゲットのコアネットワークの等価ＰＬＭＮ識別子が送信されてもよく、ＳＲＶＣＣをサポートするＰＬＭＮ識別子ａは、タグの形式での個別の表示により示されてもよい。さらに、変形されたハンドオーバ制限リストは、ＳＲＶＣＣのサポートがないが、パケット交換ハンドオーバをサポートすることを示す、選択されたＰＬＭＮ識別子ｂとターゲットのコアネットワークの等価ＰＬＭＮ識別子を専ら有するリストと、ＳＲＶＣＣとパケット交換ハンドオーバのサポートを示す、選択されたＰＬＭＮ識別子ａと等価ＰＬＭＮ識別子ａ２を専ら有する別のリストとを含んでもよい。
【００６３】
ステップ２２０から２３８は、端末２１８の確立された音声セッションの間に実行されうることに留意されたい。この音声セッションは、端末２１８により、または端末２５８により開始されうる。また、ステップ２２０、２２４及び２２６は、任意のデータセッションが設定された時に実行され、ステップ２２８から２３８は、ＩＭＳに基づく音声セッションが加えられ、ＳＲＶＣＣがトリガされた時の後に実行されることにも留意されたい。この方法において、ＵＥがゲットデータサービスに接続し、その後、音声セッションが実際に設定される場合にのみ後にそれが使用される場合、情報は、事前にｅＮｏｄｅＢに提供される。
【００６４】
図４において図解されるステップ４７６において、端末２１８は、ホーム通信ネットワーク２５０に位置する遠隔の端末２５８との音声セッションを確立している。ステップ４７８で受信した測定報告に基づいて、ステップ４８０において、ｅＮｏｄｅＢ２１２は、端末２１８が徐々にソース無線アクセスネットワーク２０４との接点から離れるため、端末２１８の音声セッションに対してＳＲＶＣＣハンドオーバが実行されなければならないことを判定する。ステップ２４０において、ｅＮｏｄｅＢ２１２は、ＭＭＥ２１４に、ＳＲＶＣＣが実行されなければならないことを通知するために、ハンドオーバリクエストをＭＭＥ２１４へ送信する。さらに、ハンドオーバリクエストは、選択されたターゲットのコアネットワーク２１０のＰＬＭＮ識別子ａを含む。さらに、ステップ２４２において、ＭＭＥ２１４は、受信したＰＬＭＮ識別子ａに基づいて、ターゲットのコアネットワーク２１０の回線交換ドメインのＭＳＣ−Ｓ２１６を選択する。さらに、ＭＭＥ２１４は、ステップ２４４において、通信ネットワーク１００のネットワーク構成が、ＧＷＣＮタイプであるため、オペレータＢに関連付けられた少なくとも別のＰＬＭＮ識別子ｂに、ＭＳＣ−Ｓ２１６が関連付けられていることを判定する。したがって、ステップ２４６において、ＭＭＥ２１４は、ターゲットのコアネットワーク２１０のＰＬＭＮ識別子ａを含むハンドオーバ被要求リクエストを、ＭＳＣ−Ｓ２１６へ送信する。ステップ２４８において、ＭＳＣ２１６は、受信したＰＬＭＮ識別子ａに基づいて、ターゲットのコアネットワーク２１０を選択する。その後、ターゲットのコアネットワーク２１０の回線交換ドメインのＭＳＣ−Ｓ２１６とターゲットのＭＳＣ−Ｓ４８２との間でのドメイン間ハンドオーバが、端末２１８の音声セッションのセッション転送のために実行される。ターゲットのＭＳＣ−Ｓ４８２は、ターゲットの無線アクセスネットワーク２６２を供する。
【００６５】
なお、理解を容易にするために、図３及び４において示されている数字１から５のいずれかを含む円が、図２にも示されていることに留意されたい。
【００６６】
図５を参照して、通信ネットワーク２００のＧＷＣＮネットワーク構成Ｌ１について説明する。通信ネットワーク２００の別のコアネットワークは、参照番号５８４により表されている。代わりに、通信ネットワーク２００は、ＭＯＣＮネットワーク構成Ｌ２を含んでもよい。理解を容易にするために、ＲＢＳサイト共有ネットワーク構成Ｌ３、国内ローミング、ネットワーク構成Ｌ４及び共有ＵＴＲＡＮ／ＢＳＳネットワーク構成Ｌ５を図解している。ネットワーク構成をしやすいように、これらのネットワークレベルＭ１からＭ５に位置するノードを表す、ネットワークレベルＭ１からＭ５が図解されている。レベルＭ１からＭ３は、ターゲットの無線アクセスネットワーク２６２に関連付けられると共に、セル、無線基地局（ＲＢＳ）、ＲＮＣまたはＢＳＣのそれぞれに関連付けられる。ターゲットのコアネットワーク２１０のネットワークレベルＭ４からＭ５は、ＭＳＣ−Ｓ、ＳＧＳＮ、またはＭＭＥのようなノード、及びゲートウェイＭＳＣ（ＧＭＳＣ）、ＧＰＲＳサポートノード（ＧＧＳＮ）、ホームロケーションレジスタ（ＨＬＲ）またはアプリケーションのそれぞれに関連付けられる。
【００６７】
ＧＷＣＮネットワーク構成Ｌ１において、ターゲットのコアネットワーク２１０及び別のターゲットのコアネットワーク５８４のネットワークレベルＭ４とターゲットの無線アクセスネットワーク２６２とは、２つの異なるオペレータＡ及びＢによって共有される。コアネットワーク２８０及びターゲットの無線アクセスネットワーク２６２はＰＬＭＮ識別子ａに関連付けられ、別のコアネットワーク５８４及びターゲットの無線アクセスネットワーク２６２はＰＬＭＮ識別子ｂに関連付けられる。したがって、ターゲットのコアネットワーク２１０及び別のターゲットのコアネットワーク５８４のネットワークレベルＭ４とターゲットの無線アクセスネットワーク２６２とは、異なるオペレータＡ及びＢに対する異なるＰＬＭＮ識別子ａ、ｂに関連付けられる。ＭＯＣＮネットワーク構成Ｌ２において、各ターゲットのコアネットワーク２１０、５８４は、１つのネットワークオペレータＡまたはＢに関連付けられ、ターゲットのコアネットワーク２１０、５８４に関連付けられたターゲットの無線アクセスネットワーク２６２は、ネットワークオペレータＡ及びＢの間で共有される。さらに、セルレベルＭ１において、無線アクセスネットワーク２６２のセルは、専ら、１つのターゲットのコアネットワーク２１０、５８４に、したがって、１つのオペレータＡまたはＢに関連付けられることができ、または、ターゲットのコアネットワーク２１０、５８４、ひいてはオペレータＡ及びＢによって共有されうる。
【００６８】
例えば、ＭＳＣ−Ｓ及びＭＭＥが各オペレータＡ及びＢに対して存在するＭＯＣＮネットワーク構成Ｌ２の第１のオプションにおいて、各コアネットワーク２１０、５８４は、各オペレータＡ及びＢに対して個別のＬＴＥターゲットの無線アクセスネットワークに関連付けられうると共に、共有ＵＴＲＡＮターゲットの無線アクセスネットワーク２１０に関連付けられうる。このＭＯＣＮネットワーク構成Ｌ２は、複数のＰＬＭＮ識別子リストを用いることなく、しかし通信ネットワークにおける回線交換及びパケット交換の調整を用いて、リリース６より先のより古いＴＳ２３．２５１のバージョンにも従っている。ＭＳＣ−Ｓ及びＭＭＥがオペレータＡ及びＢに対して存在する、ＭＯＣＮネットワーク構成Ｌ２の第２の例において、各ターゲットのコアネットワーク２１０、５８４は、共有ＬＴＥターゲットの無線アクセスネットワーク２１０に、そして、オペレータＡ及びＢに個別のＵＴＲＡＮターゲットの無線アクセスネットワークに関連付けられうる。ＭＳＣ−Ｓ及びＭＭＥが各オペレータＡ及びＢに対して存在する、ＭＯＣＮネットワーク構成Ｌ２の第３の例において、各ターゲットのコアネットワーク２１０、５８４は、共有ＬＴＥ／ＵＴＲＡＮターゲットの無線アクセスネットワーク２１０と関連付けられる。このＭＯＣＮネットワーク構成Ｌ２は、複数のＰＬＭＮ識別子リストを用いないが、通信ネットワークの回線交換及びパケット交換の調整を用いて、ＴＳ２３．２５１のリリース６より前のバージョンに従う。
【００６９】
図６を参照して、通信ネットワークのパケット交換ソース無線アクセスネットワークからその通信ネットワークのターゲットの無線アクセスネットワークへ、端末の音声セッションをハンドオーバするためのその通信ネットワークのターゲットのコアネットワークを選択するためのノード６１２について説明する。音声セッションは、通信ネットワークのインターネット・プロトコル・マルチメディア・サブシステムにアンカーされ、選択されたターゲットのコアネットワークは、ターゲットの無線アクセスネットワークと関連付けられた回線交換ドメインを有し、パケット交換ソース無線アクセスネットワークからターゲットの無線アクセスネットワークへの音声セッションのハンドオーバを可能とする音声セッションの継続をサポートする。ターゲットの無線アクセスネットワークは、ターゲットのコアネットワークのネットワーク識別子に関連付けられる。ノード６１２は、ソース無線アクセスネットワークの一部である。ノード６１２は、少なくとも１つのターゲットの無線アクセスネットワークに関連付けられた少なくとも１つのターゲットのコアネットワークのネットワーク識別子を受信するように構成された受信部ＲＵ１を有する。ネットワーク識別子は、音声セッションの継続のサポートを示す。ノード６１２は、受信したネットワーク識別子によって示される音声セッションの継続の表示されたサポートに基づいて、ターゲットのコアネットワークを選択するように構成された選択部を有する。選択部は、上述のように通信ネットワークのパケット交換ソース無線アクセスネットワークからその通信ネットワークのターゲットの無線アクセスネットワークへ、端末の音声セッションをハンドオーバさせるために、通信ネットワークのターゲットのコアネットワークを選択する方法に関する、データまたは情報を処理するように構成された処理部ＰＵ１の一部を形成する。ノード６１２は、さらに、上述の方法に関するデータまたは情報を送信するように構成された送信部ＴＵ１と、上述の方法に関するデータまたは情報を記憶するように構成された記憶部ＳＵ１とを有する。ノード６１２は、ＬＴＥソース無線アクセスネットワークのｅＮｏｄｅＢとして構成される。
【００７０】
図７を参照して、通信ネットワークのパケット交換ソース無線アクセスネットワークからその通信ネットワークのターゲットの無線アクセスネットワークへ端末の音声セッションをハンドオーバさせるために、その通信ネットワークのターゲットのコアネットワークを選択するための制御ノード７１４について説明する。音声セッションは、その通信ネットワークのインターネット・プロトコル・マルチメディア・サブシステムにアンカーされ、選択されたターゲットのコアネットワークは、ターゲットの無線アクセスネットワークに関連付けられた回線交換ドメインを有し、パケット交換ソース無線アクセスネットワークからターゲットの無線アクセスネットワークへ音声セッションをハンドオーバすることを可能とする音声セッションの継続をサポートする。ターゲットの無線アクセスネットワークは、ターゲットのコアネットワークのネットワーク識別子に関連付けられる。制御ノード７１４は、通信ネットワークの一部であり、ソース無線アクセスネットワークに関連付けられる。制御ノード７１４は、少なくとも１つのターゲットの無線アクセスネットワークに関連付けられた少なくとも１つのターゲットのコアネットワークのネットワーク識別子を送信するように構成された送信部ＴＵ２を有し、ネットワーク識別子は、送信されたネットワーク識別子により示される、音声セッションの継続の表示されたサポートに基づいて、ターゲットのコアネットワークを選択するために、音声セッションの継続のサポートを表示する。制御ノード７１４は、さらに、上述のように、通信ネットワークのパケット交換ソース無線アクセスネットワークからその通信ネットワークのターゲットの無線アクセスネットワークへ端末の音声セッションをハンドオーバするために、その通信ネットワークのターゲットのコアネットワークを選択する方法に関するデータまたは情報を受信するように構成された受信部ＲＵ２、上述の方法に関するデータまたは情報を処理するように構成された処理部ＰＵ２、及び上述の方法に関するデータまたは情報を記憶するように構成された記憶部ＳＵ２を有する。制御ノード７１４は、通信ネットワークのソースコアネットワークのパケット交換ドメインのＭＭＥとして構成される。
【００７１】
図６及び７におけるノードの説明した機能性間の関連と、これらのノードの機能性に基づくユニットは、異なってもよいことに留意されたい。例えば、ノード６１２の選択部は、ノード６１２の送信部ＴＵ１の一部を形成してもよい。
【００７２】
本発明について図面及び前述の説明において詳細に図解し説明したが、このような図解と説明は、説明又は例示であって限定とみなされるべきではなく、本発明は開示された実施形態に、具体的には、引用された３ＧＰＰのＴＳに従うそれらの実施形態に限定されない。開示された実施形態に対する他の変化が、図面、開示、及び添付の特許請求の範囲の研究から、特許請求の範囲に記載の発明を実施する当業者によって理解され、かつ実行されうる。特許請求の範囲において、「有する（comprising）」は、他の要素またはステップを排除せず、不定冠詞「ａ」または「ａｎ」は、複数を排除しない。特定の量が、互いに異なる従属請求項において挙げられているということだけでは、利益を得るために、これらの量の組み合わせを使用できないということを示すものではない。請求項におけるあらゆる参照番号は、範囲を限定するように解釈されるべきではない。
【図１】
0005756571.tif 000002
【図２】
0005756571.tif 000003
【図３】
0005756571.tif 000004
【図４】
0005756571.tif 000005
【図６】
0005756571.tif 000006
【図７】
0005756571.tif 000007
【図５】
0005756571.tif 000008